(57)【要約】【課題】多彩なマッサージを行うことと供給系統の数を少なくすることとを両立できるエアーマッサージ機を提供する。【解決手段】エアーマッサージ機１は、第１エアーバッグ４０、第２エアーバッグ５０、第３エアーバッグ６０、および第４エアーバッグ７０を有する。右側の第１エアーバッグ４０および第３エアーバッグ６０は、第１供給系統８０Ａにより、左側の第１エアーバッグ５０および第３エアーバッグ６０は、第２供給系統８０Ｂにより、第２エアーバッグ５０および第４エアーバッグ７０は、第３供給系統８０Ｃによりエアーが供給される。エアーマッサージ機１は、第１供給系統８０Ａへのエアーの供給および第２供給系統８０Ｂへのエアーの供給を互いに異なる時期に実行する。第１エアーバッグ４０および第３エアーバッグ６０が最も膨張したときの拘束力は、第２エアーバッグ５０および第４エアーバッグ７０が最も膨張したときの拘束力よりも大きい。【選択図】図３
2014000297.tif 000002
【特許請求の範囲】
【請求項１】
エアーバッグ、第１肘掛部、および前記第１肘掛部に腕を配置する配置空間を挟んで対向する第２肘掛部をそれぞれ有する右側の肘掛および左側の肘掛を備え、前記エアーバッグにエアーを供給する供給装置を備えるエアーマッサージ機において、
前記エアーバッグは、前記第１肘掛部の前記第２肘掛部側に配置される第１エアーバッグおよび第２エアーバッグと、前記第２肘掛部の前記第１肘掛部側に配置される第３エアーバッグおよび第４エアーバッグとを有し、
前記供給装置は、前記右側の肘掛の前記第１エアーバッグおよび前記右側の肘掛の前記第３エアーバッグにエアーを供給する第１供給系統と、前記左側の肘掛の前記第１エアーバッグおよび前記左側の肘掛の前記第３エアーバッグにエアーを供給する第２供給系統と、前記右側の肘掛の前記第２エアーバッグ、前記右側の肘掛の前記第４エアーバッグ、前記左側の肘掛の前記第２エアーバッグ、および前記左側の肘掛の前記第４エアーバッグにエアーを供給する第３供給系統とを有し、
前記第１肘掛部および前記第２肘掛部の間に前記腕が配置されたときの前記腕の前記肘掛に対する移動の妨げとなる力を拘束力として、前記右側の肘掛および前記左側の肘掛の一方の拘束力が所定値以上となるときに、前記右側の肘掛および前記左側の肘掛の他方の前記拘束力が前記所定値よりも小さくなるように前記第１供給系統へのエアーの供給および前記第２供給系統へのエアーの供給を互いに異なる時期に実行し、
前記第１エアーバッグおよび前記第３エアーバッグが最も膨張したときの前記拘束力は、前記第２エアーバッグおよび前記第４エアーバッグが最も膨張したときの前記拘束力よりも大きい
ことを特徴とするエアーマッサージ機。
【請求項２】
前記エアーバッグが最も収縮した状態および前記エアーバッグが最も膨張したときの寸法差を膨張量として、
前記第１エアーバッグの前記第２肘掛部側への前記膨張量および前記第３エアーバッグの前記第１肘掛部側への前記膨張量の和が、前記第２エアーバッグの前記第２肘掛部側への前記膨張量および前記第４エアーバッグの前記第１肘掛部側への前記膨張量の和よりも大きいことにより、前記第１エアーバッグおよび前記第３エアーバッグが最も膨張したときの前記拘束力が、前記第２エアーバッグおよび前記第４エアーバッグが最も膨張したときの前記拘束力よりも大きくなる
請求項１に記載のエアーマッサージ機。
【請求項３】
前記エアーバッグの前記腕と対向する面の面積を対向面積として、
前記第１エアーバッグの前記対向面積および前記第３エアーバッグの前記対向面積の和が、前記第２エアーバッグの前記対向面積および前記第４エアーバッグの前記対向面積の和よりも大きいことにより、前記第１エアーバッグおよび前記第３エアーバッグが最も膨張したときの前記拘束力が、前記第２エアーバッグおよび前記第４エアーバッグが最も膨張したときの前記拘束力よりも大きくなる
請求項１に記載のエアーマッサージ機。
【請求項４】
前記第２エアーバッグおよび前記第４エアーバッグは、対向したときに少なくとも一部が重ならない
請求項１〜３のいずれか一項に記載のエアーマッサージ機。
【請求項５】
前記エアーマッサージ機は座部を有し、
前記第１肘掛部は、前記座部に固定され、
前記第２肘掛部は、前記第１肘掛部の上方に取り付けられ、前記第１肘掛部に対する回転が許容される状態と、前記第１肘掛部に対する回転が規制される状態との間で変更される
請求項４に記載のエアーマッサージ機。
【請求項６】
前記第１エアーバッグは、前記第１肘掛部から前記第２肘掛部に向かう方向において前記第２エアーバッグと少なくとも一部が重なり、
前記第３エアーバッグは、前記第２肘掛部から前記第１肘掛部に向かう方向において前記第４エアーバッグと少なくとも一部が重なる
請求項１〜５のいずれか一項に記載のエアーマッサージ機。
【発明の詳細な説明】
【技術分野】
【０００１】
本発明は、右側の肘掛、および左側の肘掛を有するエアーマッサージ機に関する。
【背景技術】
【０００２】
従来、右側の肘掛および左側の肘掛にエアーバッグ、第１肘掛部、および第１肘掛部に腕の配置空間を挟んで対向する第２肘掛部を有する肘掛を備えるエアーマッサージ機が知られている（例えば、特許文献１）。
【先行技術文献】
【特許文献】
【０００３】
【特許文献１】特開２００７−３１３１２９号公報
【発明の概要】
【発明が解決しようとする課題】
【０００４】
上記特許文献１には、右側の肘掛および左側の肘掛において、第１肘掛部および第２肘掛部にそれぞれ１つのエアーバッグを有するエアーマッサージ機が開示されている。各エアーバッグは、全て異なる供給系統によりエアーが供給されている。しかし、第１肘掛部および第２肘掛部に１つのエアーバッグを有する構成においては、マッサージが単調なものになる。
【０００５】
一方、上記特許文献１には、右側の肘掛および左側の肘掛において、第１肘掛部および第２肘掛部にそれぞれ２つのエアーバッグを有するエアーマッサージ機も開示されている。エアーバッグの数を増やすと、マッサージを多彩なものにすることができる。しかし、エアーバッグの数を増やすと、供給系統の数が多くなるという問題がある。
【０００６】
本発明は、以上の背景をもとに創作されたものであり、多彩なマッサージを行うことと供給系統の数を少なくすることとを両立できるエアーマッサージ機を提供することを目的とする。
【課題を解決するための手段】
【０００７】
・本発明のエアーマッサージ機は、エアーバッグ、第１肘掛部、および前記第１肘掛部に腕を配置する配置空間を挟んで対向する第２肘掛部をそれぞれ有する右側の肘掛および左側の肘掛を備え、前記エアーバッグにエアーを供給する供給装置を備えるエアーマッサージ機において、前記エアーバッグは、前記第１肘掛部の前記第２肘掛部側に配置される第１エアーバッグおよび第２エアーバッグと、前記第２肘掛部の前記第１肘掛部側に配置される第３エアーバッグおよび第４エアーバッグとを有し、前記供給装置は、前記右側の肘掛の前記第１エアーバッグおよび前記右側の肘掛の前記第３エアーバッグにエアーを供給する第１供給系統と、前記左側の肘掛の前記第１エアーバッグおよび前記左側の肘掛の前記第３エアーバッグにエアーを供給する第２供給系統と、前記右側の肘掛の前記第２エアーバッグ、前記右側の肘掛の前記第４エアーバッグ、前記左側の肘掛の前記第２エアーバッグ、および前記左側の肘掛の前記第４エアーバッグにエアーを供給する第３供給系統とを有し、前記第１肘掛部および前記第２肘掛部の間に前記腕が配置されたときの前記腕の前記肘掛に対する移動の妨げとなる力を拘束力として、前記右側の肘掛および前記左側の肘掛の一方の拘束力が所定値以上となるときに、前記右側の肘掛および前記左側の肘掛の他方の前記拘束力が前記所定値よりも小さくなるように前記第１供給系統へのエアーの供給および前記第２供給系統へのエアーの供給を互いに異なる時期に実行し、前記第１エアーバッグおよび前記第３エアーバッグが最も膨張したときの前記拘束力は、前記第２エアーバッグおよび前記第４エアーバッグが最も膨張したときの前記拘束力よりも大きいことを特徴としている。
【０００８】
・このエアーマッサージ機は、前記エアーバッグが最も収縮した状態および前記エアーバッグが最も膨張したときの寸法差を膨張量として、前記第１エアーバッグの前記第２肘掛部側への前記膨張量および前記第３エアーバッグの前記第１肘掛部側への前記膨張量の和が、前記第２エアーバッグの前記第２肘掛部側への前記膨張量および前記第４エアーバッグの前記第１肘掛部側への前記膨張量の和よりも大きいことにより、前記第１エアーバッグおよび前記第３エアーバッグが最も膨張したときの前記拘束力が、前記第２エアーバッグおよび前記第４エアーバッグが最も膨張したときの前記拘束力よりも大きくなることが好ましい。
【０００９】
・このエアーマッサージ機は、前記エアーバッグの前記腕と対向する面の面積を対向面積として、前記第１エアーバッグの前記対向面積および前記第３エアーバッグの前記対向面積の和が、前記第２エアーバッグの前記対向面積および前記第４エアーバッグの前記対向面積の和よりも大きいことにより、前記第１エアーバッグおよび前記第３エアーバッグが最も膨張したときの前記拘束力が、前記第２エアーバッグおよび前記第４エアーバッグが最も膨張したときの前記拘束力よりも大きくなることが好ましい。
【００１０】
・このエアーマッサージ機は、前記第２エアーバッグおよび前記第４エアーバッグは、対向したときに少なくとも一部が重ならないことが好ましい。
・このエアーマッサージ機は、前記エアーマッサージ機は座部を有し、前記第１肘掛部は、前記座部に固定され、前記第２肘掛部は、前記第１肘掛部の上方に取り付けられ、前記第１肘掛部に対する回転が許容される状態と、前記第１肘掛部に対する回転が規制される状態との間で変更されることが好ましい。
【００１１】
・このエアーマッサージ機は、前記第１エアーバッグは、前記第１肘掛部から前記第２肘掛部に向かう方向において前記第２エアーバッグと少なくとも一部が重なり、前記第３エアーバッグは、前記第２肘掛部から前記第１肘掛部に向かう方向において前記第４エアーバッグと少なくとも一部が重なることが好ましい。
【発明の効果】
【００１２】
本発明は、多彩なマッサージを行うことと供給系統の数を少なくすることとを両立できるエアーマッサージ機を提供する。
【図面の簡単な説明】
【００１３】
【図１】実施形態のエアーマッサージ機の斜視図であり、エアーマッサージ機の全体構造を示す斜視図。
【図２】実施形態の肘掛の正面図であり、第１肘掛部および第２肘掛部の間に腕が配置されているときの肘掛の正面構造を示す正面図。
【図３】実施形態のエアーマッサージ機の模式図であり、各エアーバッグと供給系統との関係を示す模式図。
【図４】実施形態の第１肘掛部の正面図であり、第１肘掛部の正面構造を示す正面図。
【図５】実施形態の第２エアーバッグの正面図であり、第２エアーバッグの正面構造を示す正面図。
【図６】実施形態の第２エアーバッグの断面図であり、図５のＺ６−Ｚ６線に沿う断面構造を示す断面図。
【図７】実施形態の第２肘掛部の正面図であり、第２肘掛部の正面構造を示す正面図。
【図８】実施形態の肘掛の正面図であり、第２肘掛部が第１肘掛部に最も近づいているときの肘掛の正面構造を示す正面図。
【図９】実施形態の肘掛の正面図であり、第２肘掛部が第１肘掛部から最も離れているときの肘掛の正面構造を示す正面図。
【図１０】実施形態の第１肘掛部の正面図であり、第１肘掛部に腕が配置されているときの第１肘掛部の正面構造を示す正面図。
【図１１】実施形態の肘掛の正面図であり、第１エアーバッグおよび第３エアーバッグが膨張し、第２エアーバッグおよび第４エアーバッグが収縮しているときの肘掛の正面構造を示す正面図。
【図１２】実施形態の肘掛の正面図であり、第１エアーバッグ、第３エアーバッグ、第２エアーバッグ、および第４エアーバッグが膨張しているときの肘掛の正面構造を示す正面図。
【図１３】実施形態の肘掛の正面図であり、第１エアーバッグおよび第３エアーバッグが収縮し、第２エアーバッグおよび第４エアーバッグが膨張しているときの肘掛の正面構造を示す正面図。
【図１４】実施形態の第２エアーバッグの断面図であり、第２エアーバッグが最も膨張しているときの第２エアーバッグの断面構造を示す断面図。
【図１５】実施形態の第２エアーバッグの断面図であり、第２エアーバッグが最も収縮しているときの第２エアーバッグの断面構造を示す断面図。
【図１６】実施形態の第１エアーバッグおよび第２エアーバッグの断面図であり、第１エアーバッグが最も膨張しているときの第１エアーバッグおよび第２エアーバッグの断面構造を示す断面図。
【図１７】実施形態の第１エアーバッグおよび第２エアーバッグの断面図であり、第１エアーバッグが最も収縮しているときの第１エアーバッグおよび第２エアーバッグの断面構造を示す断面図。
【図１８】実施形態のエアーバッグのマッサージ動作を示すタイミングチャート。
【発明を実施するための形態】
【００１４】
図１に示されるように、エアーマッサージ機１は、椅子型のマッサージ機として構成される。
エアーマッサージ機１は、本体１０、供給装置８０（図３参照）、制御装置９０（図３参照）、およびリモコン９１を有する。
【００１５】
本体１０は、座面１１Ａを有する座部１１、背もたれ１２、オットマン１３、および肘掛２０を有する。
供給装置８０（図３参照）、および制御装置９０（図３参照）は、本体１０の内部に配置される。リモコン９１は、本体１０よりも右側に配置される。マッサージ機１は、使用者のリモコンの操作によりマッサージを開始および終了する。
【００１６】
肘掛２０は、使用者の右側の腕１００を置くための右側の肘掛２０、および使用者の左側の腕１００を置くための左側の肘掛２０を有する。右側の肘掛２０は、座部１１および背もたれ１２の右側に配置される。左側の肘掛２０は、座部１１および背もたれ１２の左側に配置される。右側の肘掛２０および左側の肘掛２０は、互いに左右対称の形状を有する。
【００１７】
図２に示されるように、各肘掛２０は、第１肘掛部２１、第２肘掛部２２、回転機構２３、およびエアーバッグ３０を有する。また、第１肘掛部２１および第２肘掛部２２の間に、腕配置空間２０Ａを有する。
【００１８】
第１肘掛部２１は、前端側の前腕配置部分２１Ａおよび後端側の本体固定部分２１Ｂを有する。前腕配置部分２１Ａは、使用者の腕１００の肘から指先までの全体を配置できる長さを有する。第１肘掛部２１は、座部１１に固定される。
【００１９】
第２肘掛部２２は、第１肘掛部２１の上側に取り付けられる。第２肘掛部２２は、第１肘掛部２１の前腕配置部分２１Ａに対向する。第２肘掛部２２は、回転機構２３を介して第１肘掛部２１に回転自在に取り付けられる。
【００２０】
エアーバッグ３０は、第１肘掛部２１および第２肘掛部２２の間に配置される。エアーバッグ３０は、第１エアーバッグ４０、第２エアーバッグ５０、第３エアーバッグ６０、および第４エアーバッグ７０を有する。第１エアーバッグ４０、第２エアーバッグ５０、第３エアーバッグ６０、および第４エアーバッグ７０は、例えばブロー成形により形成される。
【００２１】
第１エアーバッグ４０および第２エアーバッグ５０は、第１肘掛部２１の上面に配置される。第３エアーバッグ６０および第４エアーバッグ７０は、第２肘掛部２２の下面に配置される。なお、第１肘掛部２１は、第１エアーバッグ４０および第２エアーバッグ５０を覆う布状のカバー（図示略）を有する。第２肘掛部２２は、第３エアーバッグ６０および第４エアーバッグ７０を覆う布状のカバー（図示略）を有する。
【００２２】
図３に示されるように、供給装置８０は、ポンプ８１、電磁弁８２、およびチューブ８３を有する。供給装置８０は、ポンプ８１から送出されるエアーをエアーバッグ３０に供給する。
【００２３】
チューブ８３は、ポンプ８１、電磁弁８２、およびエアーバッグ３０を接続する。
第１供給系統８０Ａは、右側の第１エアーバッグ４０および右側の第３エアーバッグ６０と電磁弁８２とを接続する。
【００２４】
第２供給系統８０Ｂは、左側の第１エアーバッグ４０および左側の第３エアーバッグ６０と電磁弁８２とを接続する。
第３供給系統８０Ｃは、右側の第２エアーバッグ５０、右側の第４エアーバッグ７０、左側の第２エアーバッグ５０、および左側の第４エアーバッグ７０と、電磁弁８２とを接続する。
【００２５】
ポンプ８１は、制御装置９０からの制御信号により駆動および停止する。
電磁弁８２は、制御装置９０からの制御信号により第１供給系統８０Ａ、第２供給系統８０Ｂ、および第３供給系統８０Ｃのエアーの給排態様を切り替える。
【００２６】
供給装置８０は、電磁弁８２の切り替えにより、以下の（状態Ａ）〜（状態Ｆ）の組み合わせで各供給系統８０Ａ〜８０Ｃのエアーの供給および排出を行う。
（状態Ａ）第１供給系統８０Ａとポンプ８１とを接続し、第２供給系統８０Ｂを大気開放し、第３供給系統８０Ｃを大気開放する。
（状態Ｂ）第１供給系統８０Ａとポンプ８１とを接続し、第２供給系統８０Ｂを大気開放し、第３供給系統８０Ｃとポンプ８１とを接続する。
（状態Ｃ）第１供給系統８０Ａを大気開放し、第２供給系統８０Ｂとポンプ８１とを接続し、第３供給系統８０Ｃを大気開放する。
（状態Ｄ）第１供給系統８０Ａを大気開放し、第２供給系統８０Ｂとポンプ８１とを接続し、第３供給系統８０Ｃとポンプ８１とを接続する。
（状態Ｅ）第１供給系統８０Ａを大気開放し、第２供給系統８０Ｂを大気開放し、第３供給系統８０Ｃを大気開放する。
（状態Ｆ）第１供給系統８０Ａを大気開放し、第２供給系統８０Ｂを大気開放し、第３供給系統８０Ｃとポンプ８１とを接続する。
【００２７】
図４に示されるように、第１エアーバッグ４０は、第１肘掛部２１の前腕配置部分２１Ａの上面のほぼ全体を覆う。第１エアーバッグ４０は、表面が平坦な形状を有する。第１エアーバッグ４０は、前端部４１にチューブ８３と接続するための供給口４３を有する。第１エアーバッグ４０は、前端部４１が第１肘掛部２１に固定される。
【００２８】
第２エアーバッグ５０は、第１肘掛部２１の前端側に偏って配置される。第２エアーバッグ５０は、表面に凸凹形状を有する。第２エアーバッグ５０は、前端部５１にチューブ８３と接続するための供給口５３を有する。第２エアーバッグ５０は、前端部５１が第１肘掛部２１および第１エアーバッグ４０に固定される。
【００２９】
第２エアーバッグ５０は、第１エアーバッグ４０の上面に重ねられる。第２エアーバッグ５０は、第１エアーバッグ４０よりも小さい。第２エアーバッグ５０の前端部５１は、第１エアーバッグ４０の前端部４１に合わせて配置される。第２エアーバッグ５０の後端部５２は、第１エアーバッグ４０の後端部４２よりも前端側に位置する。
【００３０】
図５に示されるように、第２エアーバッグ５０は、第２肘掛部２２に向かって突出する１２個の刺激部５４および各刺激部５４の周りに形成される４つの外周部５５を有する。
１２個の刺激部５４のうち６個の刺激部５４は、肘掛２０の長手方向に並んで配置され、第１刺激部列５４Ａを形成する。残りの６個の刺激部５４は、肘掛２０の長手方向に並んで配置され、第２刺激部列５４Ｂを形成する。第１刺激部列５４Ａは、第２刺激部列５４Ｂよりも座部１１側に形成される。第２刺激部列５４Ｂは、後端部が前端部よりも座部１１側に位置する。各刺激部５４は、肘掛２０の長手方向の大きさが、肘掛２０の幅方向の大きさよりも大きい。
【００３１】
４つの外周部５５は、それぞれ第１刺激部列５４Ａの前端部５１側の３つの刺激部５４の周りと、第１刺激部列５４Ａの後端部５２側の３つの刺激部５４の周りと、第２刺激部列５４Ｂの前端部５１側の３つの刺激部５４の周りと、第１刺激部列５４Ａの後端部５２側の３つ刺激部５４の周りを囲んで形成される。各外周部５５は、肘掛２０の長手方向の大きさが、肘掛２０の幅方向の大きさよりも大きい。
【００３２】
図６は、第２エアーバッグ５０にエアーが供給されていない状態かつ第２エアーバッグ５０に外圧が付与されていないときの第２エアーバッグ５０の断面構造を示す。
各刺激部５４は、中央部５４Ｃおよび中央部５４Ｃを囲む突起部５４Ｄを有する。刺激部５４の中央部５４Ｃは、外周部５５よりも第２肘掛部２２側、すなわち上側に突出する。突起部５４Ｄは、中央部５４Ｃよりも上側に突出する。
【００３３】
図７に示されるように、第３エアーバッグ６０は、第２肘掛部２２の後端側に偏って配置される。第３エアーバッグ６０は、表面が平坦な形状を有する。第３エアーバッグ６０は、前端部６１にチューブ８３と接続するための供給口６３を有する。第３エアーバッグ６０は、前端部６１が第２肘掛部２２に固定される。
【００３４】
第４エアーバッグ７０は、第２肘掛部２２の後端側に偏って配置される。第４エアーバッグ７０は、前端部６１から後端部６２に向かって並ぶ３つの空気室７０Ａを有する。第４エアーバッグ７０は、前端部７１にチューブ８３と接続するための供給口６３を有する。第４エアーバッグ７０は、前端部７１が第２肘掛部２２に固定される。第４エアーバッグ７０の後端部７２は、第３エアーバッグ６０の後端部６２に合わせて配置される。
【００３５】
第４エアーバッグ７０は、第３エアーバッグ６０の下面側に重ねられる。第４エアーバッグ７０の大きさは、第３エアーバッグ６０の大きさとほぼ等しい。第４エアーバッグ７０の前端部７１は、第３エアーバッグ６０の前端部６１に合わせて配置される。
【００３６】
図８および図９を参照して、回転機構２３の動作について説明する。
回転機構２３は、第２肘掛部２２が第１肘掛部２１に対して最も離れる位置にまで回転したとき、第２肘掛部２２の回転を規制する規制機構２３Ａを有する。回転機構２３は、第２肘掛部２２を、図８に示される第１肘掛部２１に対する回転が許容される状態と、図９に示される第１肘掛部２１に対する回転が規制される状態との間で変更する。
【００３７】
図８に示されるように、腕１００のマッサージを行わないとき、第２肘掛部２２は、回転機構２３を介して前端側を基点に第１肘掛部２１に対して最も近づく位置に回転する。このとき、第１肘掛部２１および第２肘掛部２２の間の腕配置空間２０Ａは最小となる。第２肘掛部２２が第１肘掛部２１に最も近づく位置に回転したとき、第１肘掛部２１および第１肘掛部２１に配置されるエアーバッグ３０と、第２肘掛部２２および第２肘掛部２２に配置されるエアーバッグ３０とが接触することにより、第２肘掛部２２がさらに下方に回転しない。また、第２肘掛部２２および第２肘掛部２２に配置されるエアーバッグ３０の重さにより、第２肘掛部２２が上方に回転しない。一方、使用者が第２肘掛部２２の後端側を持ち上げたときは、第２肘掛部２２は、上方へ回転する。
【００３８】
第２エアーバッグ５０および第４エアーバッグ７０は、肘掛２０の長手方向において略全体が重ならないように、互い違いに配置される。このため、第２肘掛部２２が第１肘掛部２１に最も近づいたとき、肘掛２０は高さ方向においてコンパクトに収容できる。
【００３９】
図９に示されるように、腕１００のマッサージを行うとき、第２肘掛部２２は、回転機構２３を介して、前端側を基点に第１肘掛部２１に対して最も離れる位置に回転する。このとき、第１肘掛部２１および第２肘掛部２２の間の腕配置空間２０Ａは最大となる。規制機構２３Ａは、第２肘掛部２２が第１肘掛部２１に対して最も離れる位置にまで回転したとき、第２肘掛部２２の上方側および下方側へのさらなる回転を規制する。
【００４０】
図１０を参照して、腕配置空間２０Ａに腕１００が配置されるときの腕１００と第２エアーバッグ５０との関係について説明する。なお、図１０の二点鎖線の腕１００は、破線の腕１００よりも短い腕１００を示している。
【００４１】
第２エアーバッグ５０の刺激部列５４Ａ、５４Ｂは、図１０の二点鎖線で示される腕１００の長手方向に沿う。腕１００の指先を肘掛２０の前端部に合わせて配置したとき、第１刺激部列５４Ａは、腕１００および手首の内側および親指の付け根部分を刺激する。第２刺激部列５４Ｂは、腕および手首の外側および小指の付け根部分を刺激する。
【００４２】
二点鎖線で示す長い腕１００と比較して、破線で示す短い腕１００の方が、腕１００の指先を後端側寄りに配置されるため、肘側が座部１１側に寄りやすい。第２刺激部列５４Ｂは、前端側から後端側に向かうにつれて外側から座部１１（図１参照）側に向かって形成されるため、図１０の破線で示されるように、短い腕１００においても、第２エアーバッグ５０の刺激部列５４Ａ、５４Ｂは、腕１００に沿うことができる。
【００４３】
エアーバッグ３０の動作について説明する。
図１１に示されるように、第１エアーバッグ４０および第３エアーバッグ６０にエアーが供給され、第２エアーバッグ５０および第４エアーバッグ７０からエアーが排出されるとき、第１エアーバッグ４０および第３エアーバッグ６０が膨張し、第２エアーバッグ５０および第４エアーバッグ７０は収縮する。
【００４４】
図１２に示されるように、第１エアーバッグ４０および第３エアーバッグ６０にエアーが供給され、第２エアーバッグ５０および第４エアーバッグ７０にエアーが供給されるとき、第１エアーバッグ４０、第３エアーバッグ６０、第２エアーバッグ５０、および第４エアーバッグ７０は膨張する。
【００４５】
図１３に示されるように、第１エアーバッグ４０および第３エアーバッグ６０からエアーが排出され、第２エアーバッグ５０および第４エアーバッグ７０にエアーが供給されるとき、第１エアーバッグ４０および第３エアーバッグ６０は収縮し、第２エアーバッグ５０および第４エアーバッグ７０は膨張する。
【００４６】
第１エアーバッグ４０および第３エアーバッグ６０が最も膨張したときの腕１００の肘掛２０に対する移動を妨げられる力（以下、「拘束力Ａ」）は、第２エアーバッグ５０および第４エアーバッグ７０が最も膨張したときの拘束力Ａよりも大きい。
【００４７】
具体的には、拘束力Ａは、各エアーバッグ４０〜７０が最も膨張しているときと各エアーバッグ４０〜７０が最も収縮しているときとの腕１００に向かう方向の寸法差（以下、「膨張量」）および各エアーバッグ４０〜７０の腕１００と対向する面積（以下、「対向面積」）に応じて決定される。拘束力Ａは、膨張量が大きいほど大きく、対向面積が大きいほど大きい。
【００４８】
第１エアーバッグ４０の膨張量および第３エアーバッグ６０の膨張量の和は、第２エアーバッグ５０の膨張量および第４エアーバッグ７０の膨張量の和よりも大きい。
第１エアーバッグ４０の対向面積および第３エアーバッグ６０の対向面積の和は、第２エアーバッグ５０の対向面積および第４エアーバッグ７０の対向面積の和よりも大きい。
【００４９】
エアーバッグ３０の状態に応じて拘束力Ａを以下のように定義する。
（Ａ１）第１エアーバッグ４０、第３エアーバッグ６０、第２エアーバッグ５０、および第４エアーバッグ７０の全てが最も膨張しているときの拘束力Ａを拘束力Ａ１とする。
（Ａ２）第１エアーバッグ４０および第３エアーバッグ６０が最も膨張し、かつ第２エアーバッグ５０および第４エアーバッグ７０が最も収縮しているときの拘束力Ａを拘束力Ａ２とする。
（Ａ３）第１エアーバッグ４０および第３エアーバッグ６０が最も収縮し、かつ第２エアーバッグ５０および第４エアーバッグ７０が最も膨張しているときの拘束力Ａを拘束力Ａ３とする。
（Ａ４）第１エアーバッグ４０、第３エアーバッグ６０、第２エアーバッグ５０、および第４エアーバッグ７０の全てが最も収縮しているときの拘束力Ａを拘束力Ａ４とする。
【００５０】
拘束力Ａ１〜Ａ４においては、「拘束力Ａ１＞拘束力Ａ２＞拘束力Ａ３＞拘束力Ａ４」の関係が成立する。拘束力Ａが拘束力Ａ２以上のとき、腕１００は、肘掛２０に対する移動が強い力で妨げられる。一方、拘束力Ａが拘束力Ａ３以下のとき、腕１００は、肘掛２０に対して簡単に移動できる。なお、拘束力Ａ２かつ拘束力Ａ３の間の拘束力Ａが「拘束力の所定値」に相当する。
【００５１】
図１４および図１５を参照して、刺激部５４の作用について説明する。なお、図１４および図１５の二点鎖線は、第２エアーバッグ５０からエアーが供給されず、かつ第２エアーバッグ５０に外から圧力が付加されていないときの第２エアーバッグ５０の状態を示している。
【００５２】
図１４に示されるように、第２エアーバッグ５０が最も膨張するとき、外周部５５よりも刺激部５４が上方に突出する。このため、腕１００に外周部５５よりも刺激部５４の刺激が腕１００に強く作用する。
【００５３】
図１５に示されるように、第２エアーバッグ５０が最も収縮するとき、腕１００との接触により刺激部５４が凹み、外周部５５および刺激部５４の上方の端部の位置は等しくなる。このため、腕１００に外周部５５および刺激部５４の両方の刺激が腕１００に強く作用する。
【００５４】
第１エアーバッグ４０と第２エアーバッグ５０との関係について説明する。
図１６に示されるように、第１エアーバッグ４０は、表面が平坦な形状を有するため、第１エアーバッグ４０が膨張したとき、幅方向の中央部分および長手方向の中央部分が最も大きくなる。
【００５５】
第１エアーバッグ４０が膨張しているとき、第１刺激部列５４Ａの刺激部５４と、第２刺激部列５４Ｂの刺激部５４とが、第１エアーバッグ４０の膨張量の異なる部分に重ねられている。このため、第２刺激部列５４Ｂの刺激部５４が、第１刺激部列５４Ａの刺激部５４よりも上方側に位置する。すなわち、第２刺激部列５４Ｂの刺激部５４の腕１００への刺激の強さである接触圧力が、第１刺激部列５４Ａの刺激部５４の腕１００への接触圧力よりも大きくなる。
【００５６】
また、第１エアーバッグ４０が膨張しているとき、各刺激部列５４Ａ、５４Ｂにおける各刺激部５４は、第１エアーバッグ４０の膨張量の異なる部分に重ねられている。このため、第１エアーバッグ４０の長手方向における中央付近に配置される刺激部５４が第１エアーバッグ４０の長手方向の端部に配置される刺激部５４よりも上方側に位置する。すなわち、第１エアーバッグ４０の長手方向における中央付近に配置される刺激部５４の腕１００への接触圧力が、第１エアーバッグ４０の長手方向の端部に配置される刺激部５４の腕１００への接触圧力よりも大きくなる。
【００５７】
図１７に示されるように、第１エアーバッグ４０が収縮しているとき、第１刺激部列５４Ａの刺激部５４と、第２刺激部列５４Ｂの刺激部５４との高さ位置が略等しくなる。すなわち、第１刺激部列５４Ａの刺激部５４の腕１００への接触圧力と、第２刺激部列５４Ｂの刺激部５４の腕１００への接触圧力とが略等しくなる。
【００５８】
第１エアーバッグ４０が膨張しているときと収縮しているときとにおいて、第１刺激部列５４Ａの刺激部５４と第２刺激部列５４Ｂの高さ位置の関係が異なる。このため、第１エアーバッグ４０が膨張しているときと収縮しているときとにおいて腕１００に異なる刺激を付与することができる。
【００５９】
図１８を参照して、エアーバッグ３０によるマッサージ動作の一例について説明する。
時刻ｔ１１、すなわち使用者がリモコン９１によりマッサージの実行の操作を行ったとき、供給装置８０は、電磁弁８２を切り替えて「状態Ａ」によりエアーの供給および排出を行う。これにより、右側の第１エアーバッグ４０および右側の第３エアーバッグ６０が膨張を開始する。
【００６０】
時刻ｔ１２、すなわち時刻ｔ１１から所定期間が経過し、右側の第１エアーバッグ４０および右側の第３エアーバッグ６０が最も膨張しているとき、供給装置８０は、電磁弁８２を切り替えて「状態Ｂ」によりエアーの供給および排出を行う。
【００６１】
時刻ｔ１３、すなわち時刻ｔ１２から所定期間が経過し、第２エアーバッグ５０および第４エアーバッグ７０が最も膨張しているとき、供給装置８０は、電磁弁８２を切り替えて「状態Ａ」によりエアーの供給および排出を行う。
【００６２】
時刻ｔ１４、すなわち時刻ｔ１３から所定期間が経過し、第２エアーバッグ５０および第４エアーバッグ７０が最も収縮しているとき、供給装置８０は、電磁弁８２を切り替えて「状態Ｂ」によりエアーの供給および排出を行う。
【００６３】
時刻ｔ１５〜時刻ｔ１９において、供給装置８０は、時刻ｔ１３〜時刻ｔ１４と同様に電磁弁８２を切り替える。
時刻ｔ２０、すなわち時刻ｔ１９から所定期間が経過し、第２エアーバッグ５０および第４エアーバッグ７０が最も収縮しているとき、供給装置８０は、電磁弁８２を切り替えて「状態Ｅ」によりエアーの供給および排出を行う。
【００６４】
時刻ｔ２１、すなわち時刻ｔ２０から所定期間が経過し、右側の第１エアーバッグ４０および右側の第３エアーバッグ６０が最も収縮しているとき、供給装置８０は、電磁弁８２を切り替えて「状態Ｃ」によりエアーの供給および排出を行う。これにより、左側の第１エアーバッグ４０および右側の第３エアーバッグ６０が膨張を開始する。
【００６５】
時刻ｔ２２、すなわち時刻ｔ２１から所定期間が経過し、左側の第１エアーバッグ４０および左側の第３エアーバッグ６０が最も膨張しているとき、供給装置８０は、電磁弁８２を切り替えて「状態Ｄ」によりエアーの供給および排出を行う。
【００６６】
時刻ｔ２３、すなわち時刻ｔ２２から所定期間が経過し、第２エアーバッグ５０および第４エアーバッグ７０が最も膨張しているとき、供給装置８０は、電磁弁８２を切り替えて「状態Ｃ」によりエアーの供給および排出を行う。
【００６７】
時刻ｔ２４、すなわち時刻ｔ２３から所定期間が経過し、第２エアーバッグ５０および第４エアーバッグ７０が最も収縮しているとき、供給装置８０は、電磁弁８２を切り替えて「状態Ｄ」によりエアーの供給および排出を行う。
【００６８】
時刻ｔ２５〜時刻ｔ２９において、供給装置８０は、時刻ｔ２３〜時刻ｔ２４と同様に電磁弁８２を切り替える。
時刻ｔ３０、すなわち時刻ｔ２９から所定期間が経過し、第２エアーバッグ５０および第４エアーバッグ７０が最も収縮しているとき、供給装置８０は、電磁弁８２を切り替えて「状態Ｅ」によりエアーの供給および排出を行う。
【００６９】
本実施形態のエアーマッサージ機１は、以下の効果を奏する。
（１）エアーバッグ３０は、右側の肘掛２０および左側の肘掛２０において、それぞれ第１エアーバッグ４０、第２エアーバッグ５０、第３エアーバッグ６０、および第４エアーバッグ７０を有する。４つのエアーバッグ４０〜７０は、右側の肘掛２０の第１エアーバッグ４０および右側の肘掛２０の第３エアーバッグ６０は、第１供給系統８０Ａによりエアーが供給される。左側の肘掛２０の第１エアーバッグ４０および左側の肘掛２０の第３エアーバッグ６０は、第２供給系統８０Ｂによりエアーが供給される。右側の肘掛２０の第２エアーバッグ５０、右側の肘掛２０の第４エアーバッグ７０、左側の肘掛２０の第２エアーバッグ５０、および左側の肘掛２０の第４エアーバッグ７０は、第３供給系統８０Ｃによりエアーが供給される。このため、エアーマッサージ機１は、多彩なマッサージを行うことと供給系統８０Ａ〜８０Ｃの数を少なくすることとを両立できる。
【００７０】
（２）エアーマッサージ機１は、右側の肘掛２０および左側の肘掛２０の一方の拘束力Ａが拘束力Ａ２以上となるときに、右側の肘掛２０および左側の肘掛２０の他方の拘束力Ａが拘束力Ａ２よりも小さくなるように第１供給系統８０Ａへのエアーの供給および第２供給系統８０Ｂへのエアーの供給を互いに異なる時期に実行する。このため、使用者は、右側の腕１００および左側の腕１００の一方に拘束力Ａが大きい状態で強くマッサージが行われているとき、右側の腕１００および左側の腕１００の他方を自由に動かすことができる。これにより、使用者の利便性を高めることができる。
【００７１】
（３）エアーマッサージ機１は、第２エアーバッグ５０および第４エアーバッグ７０が対向したときに一部が重ならないように互い違いに配置される。このため、第２エアーバッグ５０の全体がおよび第４エアーバッグ７０に重なって配置される構成と比較して、第２エアーバッグ５０および第４エアーバッグ７０が最も膨張したときの拘束力Ａが小さくなる。
【００７２】
（４）第１肘掛部２１は、第２肘掛部２２の上側に配置され、第２肘掛部２２に対する回転が許容される。また、第２エアーバッグ５０および第４エアーバッグ７０は、第２エアーバッグ５０および第４エアーバッグ７０が対向したときに重ならないように配置される。このため、肘掛をコンパクトに収容できる。
【００７３】
（５）第１エアーバッグ４０は、第１肘掛部２１から第２肘掛部２２に向かう方向において第２エアーバッグ５０と重なる。また、第３エアーバッグ６０は、第２肘掛部２２から第１肘掛部２１に向かう方向において第４エアーバッグ７０と重なる。
【００７４】
このため、第１エアーバッグ４０および第３エアーバッグ６０のみが膨張するときと、第１エアーバッグ４０、第２エアーバッグ５０、第３エアーバッグ６０、および第４エアーバッグ７０が膨張するときと、第２エアーバッグ５０および第４エアーバッグ７０のみが膨張するときとで、使用者の腕１００の同一の部分に対して異なるマッサージを行うことができる。
【００７５】
（６）エアーマッサージ機１は、複数の刺激部５４を有する。このため、エアーマッサージ機１は、使用者の腕１００に多彩な刺激を付与することができる。
（７）複数の刺激部５４は、肘掛２０の長手方向に並んで配置され、刺激部列５４Ａ，５４Ｂを形成する。このため、使用者の腕１００が短い場合、または背もたれ１２を倒してエアーマッサージ機１を使用する場合においても、使用者の腕１００に刺激部５４が接触しやすい。このため、単独の刺激部５４を有するエアーマッサージ機と比較して、使用者の使い勝手が良い。
【００７６】
（８）第２エアーバッグ５０は、第１刺激部列５４Ａおよび第２刺激部列５４Ｂを有する。第１刺激部列５４Ａは、腕１００および手首の内側および親指の付け根部分を刺激することができる。また、第２刺激部列５４Ｂは、腕１００および手首の外側および小指の付け根部分を刺激することができる。
【００７７】
（９）第２エアーバッグ５０は、最も膨張した状態においては刺激部５４による腕１００への接触圧力が高く、最も収縮した状態においては外周部５５の腕への接触圧力が高くなる。すなわち、第２エアーバッグ５０の膨張状態に応じて、第２エアーバッグ５０のうちの接触圧力が高い部位が異なるため、使用者に付与する刺激を多彩なものにすることができる。
【００７８】
（１０）第１刺激部列５４Ａの刺激部５４および第２刺激部列５４Ｂの刺激部５４は、第１エアーバッグ４０の膨張量の異なる部分にそれぞれ重ねられる。このため、第１エアーバッグ４０が収縮した状態においては、第１刺激部列５４Ａの刺激部５４および第２刺激部列５４Ｂの刺激部５４の腕への接触圧力が等しくなる。一方、第１エアーバッグ４０が膨張した状態においては、第１エアーバッグ４０の膨張量が大きい部分に配置される第２刺激部列５４Ｂの刺激部５４の腕への接触圧力が高くなる。すなわち、第１エアーバッグ４０が膨張したときと収縮したときにおいて、第１刺激部列５４Ａの刺激部５４の接触圧力、および第２刺激部列５４Ｂの刺激部５４の接触圧力に差が生じるため、使用者に付与する刺激を多彩なものにすることができる。
【００７９】
（１１）体格の小さい使用者においては、体格の大きい使用者よりも肘が座部１１側に寄りやすい。エアーマッサージ機１は、第２刺激部列５４Ｂの後端部が前端部よりも座部１１側に配置される。このため、体格の小さい使用者の腕にも刺激部列５４Ａ，５４Ｂを沿わせやすい。
【００８０】
本発明は、上記実施形態以外の実施形態を含む。以下、本発明のその他の実施形態としての上記実施形態の変形例を示す。なお、以下の各変形例は、互いに組み合わせることもできる。
【００８１】
・実施形態の第２エアーバッグ５０は、第１刺激部列５４Ａおよび第２刺激部列５４Ｂを有する。一方、変形例の第２エアーバッグ５０は、第１刺激部列５４Ａおよび第２刺激部列５４Ｂの一方を省略している。
【００８２】
・実施形態の第２エアーバッグ５０は、２列の刺激部列５４Ａ，５４Ｂを有する。一方、変形例の第２エアーバッグ５０は、３列以上の刺激部列を有する。
・実施形態の第２エアーバッグ５０は、複数の刺激部５４を有する。一方、変形例の第２エアーバッグ５０は、単独の刺激部５４を有する。
【００８３】
・実施形態の第２エアーバッグ５０は、刺激部５４を有する。一方、変形例の第２エアーバッグ５０は、刺激部５４を省略している。
・実施形態のエアーバッグ３０は、第２エアーバッグ５０が複数の刺激部５４を有する。一方、変形例のエアーバッグ３０は、第２エアーバッグ５０に加えて第１エアーバッグ４０、第３エアーバッグ６０、および第４エアーバッグ７０の少なくとも１つが１または複数の刺激部５４を有する。
【００８４】
・実施形態の第１刺激部列５４Ａの刺激部５４および第２刺激部列５４Ｂの刺激部５４は、第１エアーバッグ４０のうちの第１肘掛部２１から第２肘掛部２２に向かう方向における膨張量が異なる部分にそれぞれ重ねられる。一方、変形例の第１刺激部列５４Ａの刺激部５４および第２刺激部列５４Ｂの刺激部５４は、第１エアーバッグ４０のうちの第１肘掛部２１から第２肘掛部２２に向かう方向における膨張量が同じ部分にそれぞれ重ねられる。
【００８５】
・実施形態の第２エアーバッグ５０は、最も膨張した状態においては刺激部５４による腕１００への接触圧力が高く、最も収縮した状態においては外周部５５の腕への接触圧力が高い。一方、変形例の第２エアーバッグ５０は、最も膨張した状態および最も収縮した状態のいずれにおいても外周部５５よりも刺激部５４による腕１００への接触圧力が高い。具体的には、刺激部５４は、突起部５４Ｄが最も収縮した状態においても外周部５５よりも第２肘掛部２２側に位置する。
【００８６】
・実施形態の第２エアーバッグ５０は、第２刺激部列５４Ｂの後端部が前端部よりも座部１１側に配置される。一方、変形例の第２エアーバッグ５０は、第２刺激部列５４Ｂの前端部が後端部よりも座部１１側に配置される。または、変形例の第２エアーバッグ５０は、第２刺激部列５４Ｂの後端部および前端部と座部１１との距離が等しい。
【００８７】
・実施形態のエアーマッサージ機１は、右側および左側の一方の第１エアーバッグ４０および第３エアーバッグ６０が最も膨張した状態、かつ右側および左側の他方の第１エアーバッグ４０および第３エアーバッグ６０が最も収縮した状態のときに、第３供給系統８０Ｃへのエアーの供給および第３供給系統８０Ｃからのエアーの排出を実行する。一方、変形例のエアーマッサージ機１は、これに代えてまたは加えて、第１エアーバッグ４０および第３エアーバッグ６０にエアーが供給されて膨張している最中、または第１エアーバッグ４０および第３エアーバッグ６０からエアーが排出されて収縮している最中に、第３供給系統８０Ｃへのエアーの供給および第３供給系統８０Ｃからのエアーの排出を実行する。
【００８８】
・実施形態の電磁弁８２は、エアーバッグ４０〜７０からエアーを排出するとき、エアーバッグ４０〜７０を大気開放する。一方、変形例の電磁弁８２は、エアーバッグ４０〜７０からエアーを排出するとき、エアーバッグ４０〜７０と排出装置とを接続し、エアーバッグ４０〜７０からエアーを短時間で排出する。
【００８９】
・実施形態のエアーバッグ３０は、第１エアーバッグ４０が第１肘掛部２１から第２肘掛部２２に向かう方向において第２エアーバッグ５０と重なる。一方、変形例のエアーバッグ３０は、第１エアーバッグ４０が第１肘掛部２１から第２肘掛部２２に向かう方向において第２エアーバッグ５０と重ならない。
【００９０】
・実施形態のエアーバッグ３０は、第１エアーバッグ４０が第２肘掛部２２から第１肘掛部２１に向かう方向において第４エアーバッグ７０と重なる。一方、変形例のエアーバッグ３０は、第１エアーバッグ４０が第２肘掛部２２から第１肘掛部２１に向かう方向において第４エアーバッグ７０と重ならない。
【００９１】
・実施形態の第１エアーバッグ４０の膨張量および第３エアーバッグ６０の膨張量の和は、第２エアーバッグ５０の膨張量および第４エアーバッグ７０の膨張量の和よりも大きい。一方、変形例の第１エアーバッグ４０の膨張量および第３エアーバッグ６０の膨張量の和は、第２エアーバッグ５０の膨張量および第４エアーバッグ７０の膨張量の和よりも小さい。この場合、第１エアーバッグ４０の対向面積および第３エアーバッグ６０の対向面積の和は、第２エアーバッグ５０の対向面積および第４エアーバッグ７０の対向面積の和よりも大きいことにより、「拘束力Ａ１＞拘束力Ａ２＞拘束力Ａ３＞拘束力Ａ４」の関係は維持される。
【００９２】
・実施形態の第１エアーバッグ４０の対向面積および第３エアーバッグ６０の対向面積の和は、第２エアーバッグ５０の対向面積および第４エアーバッグ７０の対向面積の和よりも大きい。一方、変形例の第１エアーバッグ４０の対向面積および第３エアーバッグ６０の対向面積の和は、第２エアーバッグ５０の対向面積および第４エアーバッグ７０の対向面積の和よりも小さい。この場合、第１エアーバッグ４０の膨張量および第３エアーバッグ６０の膨張量の和は、第２エアーバッグ５０の膨張量および第４エアーバッグ７０の膨張量の和よりも大きいことにより、「拘束力Ａ１＞拘束力Ａ２＞拘束力Ａ３＞拘束力Ａ４」の関係は維持される。
【００９３】
・実施形態の肘掛２０は、第１肘掛部２１の上側に第２肘掛部２２が取り付けられる。一方、変形例の肘掛２０は、第１肘掛部２１の下側に第２肘掛部２２が取り付けられる。
・実施形態の肘掛２０は、腕１００を上方側および下方側から挟む第１肘掛部２１および第２肘掛部２２を有する。一方、変形例の肘掛２０は、腕１００を嵌め込む溝を有する。この場合、溝の右側の側壁および左側の側壁の一方が「第１肘掛部」に相当し、溝の右側の側壁および左側の側壁の他方が「第２肘掛部」に相当する。
【００９４】
・実施形態の第２肘掛部２２は、第１肘掛部２１に回転が許容される状態で取り付けられる。一方、変形例の第２肘掛部２２は、第１肘掛部２１に対する回転が許容されない状態で固定される。この場合、腕配置空間２０Ａが最大の状態で第２肘掛部２２は、第１肘掛部２１に固定される。
【００９５】
・実施形態の第２エアーバッグ５０および第４エアーバッグ７０は、互いに対向したときに重ならないように互い違いに配置される。一方、変形例の第２エアーバッグ５０および第４エアーバッグ７０は、互いに対向したときに第２エアーバッグ５０の後端部５２および第４エアーバッグ７０の前端部７１が重なるように配置される。さらなる変形例の第２エアーバッグ５０および第４エアーバッグ７０は、互いに対向したときに第４エアーバッグ７０の全体が第２エアーバッグ５０に重なるように配置される。
【００９６】
・実施形態のエアーマッサージ機１は、座部１１、背もたれ１２、およびオットマン１３を有する椅子型のエアーマッサージ機１として構成される。一方、変形例のエアーマッサージ機は、座部１１、背もたれ１２、およびオットマン１３の少なくとも１つを省略している。座部１１、背もたれ１２、およびオットマン１３の全部を省略する場合は、肘掛２０をテーブル等に置いて使用するエアーマッサージ機として構成される。
【符号の説明】
【００９７】
１…エアーマッサージ機、１１…座部、２０…肘掛、２０Ａ…腕配置空間、２１…第１肘掛部、２２…第２肘掛部、４０…第１エアーバッグ、５０…第２エアーバッグ、８０…供給装置、８０Ａ…第１供給系統、８０Ｂ…第２供給系統、８０Ｃ…第３供給系統。
【図１】
2014000297.tif 000003
【図２】
2014000297.tif 000004
【図３】
2014000297.tif 000005
【図４】
2014000297.tif 000006
【図５】
2014000297.tif 000007
【図６】
2014000297.tif 000008
【図７】
2014000297.tif 000009
【図８】
2014000297.tif 000010
【図９】
2014000297.tif 000011
【図１０】
2014000297.tif 000012
【図１１】
2014000297.tif 000013
【図１２】
2014000297.tif 000014
【図１３】
2014000297.tif 000015
【図１４】
2014000297.tif 000016
【図１５】
2014000297.tif 000017
【図１６】
2014000297.tif 000018
【図１７】
2014000297.tif 000019
【図１８】
2014000297.tif 000020
【手続補正書】
【提出日】平成24年8月10日(2012.8.10)
【手続補正１】
【補正対象書類名】図面
【補正対象項目名】図３
【補正方法】変更
【補正の内容】
【図３】
2014000297.tif 000021